(57)【要約】      （修正有）【課題】作業の安全性を良好に保つことができる工具落下防止索具の留め具を提供する。【解決手段】ロックユニット５は、回動レバー４２が閉鎖位置から開放位置に回動できるアンロック状態と、開口部が閉鎖されると共に回動レバー４２がフック本体４１に対して回動不能に定位されるロック状態と、に切り替え可能に設けられ、第１の定位部材５１と、第１の定位部材５１に対して互いに係脱可能に設けられた第２の定位部材５２と、を有する。【選択図】図３
0003189229.tif 000002
【実用新案登録請求の範囲】
【請求項１】
作業員側又は工具側に繋がるように設けられた工具落下防止索具の接続ひもの両端にそれぞれ取り付けられて用いられるものであって、
前記接続ひもが通されて連結される連結空間が形成された連結ユニットと、
前記連結ユニットと連結されているものであって、前記連結ユニットと連結されており前記作業員側又は前記工具側に引っ掛けられるための通し空間を画成すると共に前記通し空間に連通する開口部を形成したフック本体と、前記開口部を開閉自在に前記フック本体に対して回動可能に連結されている回動レバーと、を有する留めユニットと、
前記回動レバーを前記フック本体に対して回動不能に定位することができるように前記留めユニットに設けられているロックユニットと、を有し、
前記フック本体は、
一部が切り欠いて前記開口部が形成された主壁部と、
前記主壁部の前記開口部側の切り欠いて形成された両端部における一方の端部であって前記回動レバーを軸支するように前記回動レバーと枢結された枢結端部と、
前記主壁部の前記開口部側の両端部における他方の端部であって前記回動レバーが前記枢結端部を回動中心として前記主壁部に対して前記開口部を閉鎖するように回動すると前記回動レバーと当接して前記回動レバーを定位する定位端部と、を有し、
前記回動レバーは、
前記フック本体の前記枢結端部に枢支されて連結された枢着端部と、
前記フック本体の前記枢結端部を中心として前記通し空間側に回動すると前記開口部が開放する開放位置と、前記開口部側に回動しながら前記フック本体の前記定位端部に当接して連結されると前記開口部を閉じる閉鎖位置と、の間で回動可能に設けられた回動端部と、を有し、
前記ロックユニットは、前記回動レバーが前記閉鎖位置から前記開放位置に回動できるアンロック状態と、前記開口部が閉鎖されると共に前記回動レバーが前記フック本体に対して回動不能に定位されるロック状態と、に切り替え可能に設けられていることを特徴とする工具落下防止索具の留め具。
【請求項２】
前記ロックユニットは、第１の定位部材と、前記第１の定位部材に対して互いに係脱可能に設けられた第２の定位部材と、を有することを特徴とする請求項１に記載の工具落下防止索具の留め具。
【請求項３】
前記第１の定位部材は、前記アンロック状態にて前記回動レバーを外嵌するように、前記ロック状態にて前記回動レバーの前記回動端部及び該回動端部と前記フック本体の前記定位端部との当接部を取り囲むように前記回動端部と前記定位端部とを外嵌可能に成形された中空部を有する筒状体であり、
前記筒状体は、その前記中空部を画成した内壁に第１のねじ部が形成され、
前記第２の定位部材には、前記第１のねじ部とねじ係合可能な第２のねじ部が形成されていることを特徴とする請求項２に記載の工具落下防止索具の留め具。
【請求項４】
前記第２のねじ部は、前記回動レバーの前記枢着端部及び前記回動端部の間に形成されることを特徴とする請求項３に記載の工具落下防止索具の留め具。
【請求項５】
前記第２のねじ部は、前記フック本体の前記定位端部に形成されることを特徴とする請求項３に記載の工具落下防止索具の留め具。
【請求項６】
前記連結ユニットを２つ有し、互いに枢結可能に連結されて設けられ、
２つの前記連結ユニットにおける一方の前記連結ユニットは、他方の前記連結ユニットと回転自在に枢結されていると共に、前記接続ひもが通されて連結され、
前記他方の連結ユニットは、前記一方の連結ユニットと枢結されていると共に、前記留めユニットが通されて連結されることを特徴とする請求項１〜５のいずれかの一項に記載の工具落下防止索具の留め具。
【考案の詳細な説明】
【技術分野】
【０００１】
本考案は、留め具に関し、特には例えば工事現場等で使用される各種工具の落下を防止するための工具落下防止索具に用いられる留め具に関する。
【背景技術】
【０００２】
従来より、一例として図５および図６に示されているように、長く延伸された接続ひも１０の両端にそれぞれカラビナタイプの留め具１１、１２が取り付けられ、一端側の留め具１１を作業員の身（図示せず）に引っ掛け、他端側の留め具１２に工事現場等で使用される各種工具を繋ぎ止めるループ状に形成されたワイヤ１３を引っ掛けて留める工具落下防止索具が知られている（例えば特許文献１参照）。
【０００３】
上記カラビナタイプの留め具１１、１２はそれぞれ、例えば金属材料又は剛性樹脂材料から成形されており、接続ひも１０が連結された略Ｄの字形に成形された連結ユニット１４と、ワイヤ１３を通して引っ掛けるための通し空間１２３を有するように成形された留めユニットと、を有し、留めユニットは、一部に開口部１２０を有する略Ｃ字状のフック本体１２１と、フック本体１２１の開口部１２０を開閉自在にフック本体１２１に回動可能に枢支された略Ｉ字状の回動レバー１２２と、を有し、回動レバー１２２の一端部１２６はフック本体１２１の開口部１２０側の一端１２４に枢支されて連結され、他端部１２７は枢結された一端部１２６を中心として通し空間１２３側に回動すると開口部１２０が開放する開放位置と、フック本体１２１の開口部１２０側に回動しながらフック本体１２０の開口部１２０側の他端１２５に当接すると開口部１２０が閉じる閉鎖位置と、の間で回動可能に設けられている。留め具１２が閉鎖した状態で、通し口を形成したループ状になったワイヤ１３を回動レバー１２２の他端部１２７を通し空間１２３側に押圧して開口部１２０を通してワイヤ１３の通し口にフック本体１２１の他端１２５を通すとワイヤ１３がフック本体１２１に引っ掛けられて係止される。
【先行技術文献】
【特許文献】
【０００４】
【特許文献１】登録実用新案第３１６５６３８号明細書
【考案の概要】
【考案が解決しようとする課題】
【０００５】
上記従来の工具落下防止索具によれば、作業中不意に工具が手元から外れても落下したり紛失したりすることがないので、作業の安全性を向上することができるが、図６に示されているように、作業中に回動レバー１２２が通し空間１２３側に押されたりすると、回動レバー１２２が回動して開口部１２０が開放してしまうため、ワイヤ１３が開口部１２０から抜けたりする問題点がある。また、回動レバー１２２が回動可能に設けられているので、外力によってワイヤ１３が回動レバー１２２の他端部１２７とフック本体１２０の他端１２５との間から抜けることもある。
【０００６】
本考案は、上記問題点に鑑みてなされたものであり、フック本体の開口部が不意に開放することなく回動レバーがしっかりとフック本体に定位されることができ、作業の安全性を良好に保つことができる工具落下防止索具の留め具を提供することを目的とする。
【課題を解決するための手段】
【０００７】
上記目的を達成するために、本考案に係る工具落下防止索具の留め具は、作業員側又は工具側に繋がるように設けられた工具落下防止索具の接続ひもの両端にそれぞれ取り付けられて用いられるものであって、前記接続ひもが通されて連結される連結空間が形成された連結ユニットと、前記連結ユニットと連結されているものであって、前記連結ユニットと連結されており前記作業員側又は前記工具側に引っ掛けられるための通し空間を画成すると共に前記通し空間に連通する開口部を形成したフック本体、及び前記開口部を開閉自在に前記フック本体に対して回動可能に連結されている回動レバーを有する留めユニットと、前記回動レバーを前記フック本体に対して回動不能に定位することができるように前記留めユニットに設けられているロックユニットと、を有し、前記フック本体は、一部が切り欠いて前記開口部が形成された主壁部と、前記主壁部の前記開口部側の切り欠いて形成された両端部における一方の端部であって前記回動レバーを軸支するように前記回動レバーと枢結された枢結端部と、前記主壁部の前記開口部側の両端部における他方の端部であって前記回動レバーが前記枢結端部を回動中心として前記主壁部に対して前記開口部を閉鎖するように回動すると前記回動レバーと当接して前記回動レバーを定位する定位端部と、を有し、前記回動レバーは、前記フック本体の前記枢結端部に枢支されて連結された枢着端部と、前記フック本体の前記枢結端部を中心として前記通し空間側に回動すると前記開口部が開放する開放位置、及び前記開口部側に回動しながら前記フック本体の前記定位端部に当接して連結されると前記開口部を閉じる閉鎖位置の間で回動可能に設けられた回動端部と、を有し、前記ロックユニットは、前記回動レバーが前記閉鎖位置から前記開放位置に回動できるアンロック状態と、前記開口部が閉鎖されると共に前記回動レバーが前記フック本体に対して回動不能に定位されるロック状態と、に切り替え可能に設けられていることを特徴とする。
【考案の効果】
【０００８】
上記のように構成された工具落下防止索具の留め具は、ロックユニットによって、回動レバーが閉鎖位置から開放位置に回動できるアンロック状態と、開口部が閉鎖されると共に回動レバーがフック本体に対して回動不能に定位されるロック状態と、に切り替えることができる。アンロック状態にてワイヤなどが回動レバーを押して開口部よりフック本体に通されて連結され、ロック状態にて回動レバーが押されても動くことなく強固に定位することができるので、工具の繋ぎ止めや取り外しが簡単であると共に、工具が不意に留め具から脱離・落下することがなくなり、作業の利便性が良好である上、安全性を高く保つことができる。
【図面の簡単な説明】
【０００９】
【図１】本考案に係る工具落下防止索具に用いられる留め具の第１の実施形態を示す斜視図である。
【図２】第１の実施形態に係る留め具における留めユニットの開口部が開放された状態を一部断面として示す平面図である。
【図３】留めユニットの開口部が閉鎖された状態を一部断面として示す平面図である。
【図４】本考案に係る工具落下防止索具に用いられる留め具の第２の実施形態であって、その留めユニットの開口部が閉鎖された状態を一部断面として示す斜視図である。
【図５】従来の工具落下防止索具の一例を示す斜視図である。
【図６】従来例の工具落下防止索具における留め具が閉鎖状態から開放状態になることを説明する平面図である。
【考案を実施するための形態】
【００１０】
以下、本考案の具体的な実施形態を添付の図面を参照して説明する。
【００１１】
（第１の実施形態）
図１〜図３には、本考案に係る工具落下防止索具の留め具の第１の実施形態が示されている。本考案に係る留め具は、従来と同様に例えば金属材料又は剛性樹脂材料から成形されており、例えば工事現場等で使用される各種工具の落下を防止するための工具落下防止索具の長く延伸された接続ひも２２の両端のそれぞれに取り付けられて一端側の留め具を作業員の身（図示せず）に引っ掛け、他端側の留め具に工事現場等で使用される各種工具を繋ぎ止めるループ状に形成されたワイヤを引っ掛けて留めるように用いられるものである。
【００１２】
本考案に係る留め具は、接続ひも２２が連結された略Ｄの字形に成形された連結ユニット３と、作業員側又は工具側に引っ掛けられるための通し空間４０を有するように成形された留めユニット４と、留めユニット４に取り付けられたロックユニット５と、を備えている。
【００１３】
連結ユニット３は、一側が開放され略Ｕの字形に形成された屈曲部分３１と屈曲部分３１の開口側の両端の間を連結した略Ｉの字形に形成された水平部分３２とから所定の連結空間３０を画成するように略Ｄの字形に成形されており、接続ひも２２は連結空間３０の屈曲部分３１側に通されて連結され、留めユニット４は連結ユニット３の水平部分３２に対して回転自在に軸支されるように連結されている。
【００１４】
留めユニット４は、連結ユニット３に連結され、一部に開口部４０１を有するフック本体４１と、フック本体４１の開口部４０１を開閉自在にフック本体４１に対して回動可能に連結されるように設けられた回動レバー４２と、を有する。
【００１５】
フック本体４１は、一部が切り欠いて開口部４０１を形成するように略Ｃの字形に形成された主壁部４１１と、主壁部４１１の開口部４０１側の切り欠いて形成された両端部における一方の端部であって回動レバー４２を軸支するように回動レバー４２と枢結された枢結端部４１２と、主壁部４１１の開口部４０１側の両端部における他方の端部であって回動レバー４２が枢結端部４１２を回動中心として主壁部４１１に対して開口部４０１を閉鎖するように回動すると回動レバー４２と当接して回動レバー４２を定位する定位端部４１３と、を有する。
【００１６】
回動レバー４２は、略Ｉの字形に長く延伸されて形成されており、フック本体４１の枢結端部４１２に枢支されて連結された枢着端部４２１と、フック本体４１の枢結端部４１２を中心として通し空間４０側に回動すると開口部４０１が開放する開放位置、及びフック本体４１の開口部４０１側に回動しながらフック本体４１の定位端部４１３に当接して連結されると開口部４０１が閉じる閉鎖位置の間で回動可能に設けられた回動端部４２２と、を有する。
【００１７】
この形態では、回動レバー４２の回動端部４２２が常に定位端部４１３に当接するように付勢されるよう、一例として、フック本体４１の枢結端部４１２及び回動レバー４２の枢着端部４２１の間にねじりばね（図示せず）が連結されて設けられている。定位端部４１３は、回動レバー４２の回動方向に沿って水平に扁平状に形成され、回動レバー４２の回動端部４２２には、扁平状に形成された定位端部４１３が嵌入される割り溝４２０が形成されている。このように、回動レバー４２の回動端部４２２がフック本体４１の定位端部４１３に係入されて定位される。
【００１８】
ロックユニット５は、回動レバー４２をフック本体４１に対して回動不能に定位できるように留めユニット４に連結されて設けられており、回動レバー４２が閉鎖位置から開放位置に回動できるアンロック状態と、開口部４０１が閉鎖されると共に回動レバー４２がフック本体４１に対して回動不能に定位されるロック状態と、に切り替え可能に構成されており、第１の定位部材５１と、第１の定位部材５１に対して互いに係脱可能に設けられた第２の定位部材５２と、を有するように構成されている。
【００１９】
この形態では、第１の定位部材５１として、アンロック状態にて回動レバー４２を外嵌するように、ロック状態にて回動レバー４２の回動端部４２２及び該回動端部４２２とフック本体４１の定位端部４１３との当接部を取り囲むように回動端部４２２と定位端部４１３とを外嵌可能に成形された中空部を有する筒状体を用いる。また、第１の定位部材５１としての筒状体は、その中空部を画成した内壁に第１のねじ部５１１が形成されている。第２の定位部材５２には、第１の定位部材５１の第１のねじ部５１１とねじ係合可能な第２のねじ部５２１が形成されている。第２のねじ部５２１は、一例として回動レバー４２の枢着端部４２１と回動端部４２２との間に回動レバー４２と一体状に形成されている。
【００２０】
このように、第１の定位部材５１は、回動端部４２２と定位端部４１３との当接部を取り囲んでロック状態にするように定位端部４１３側に近づいたり、又は枢着端部４２１と回動端部４２２との間に定位されてアンロック状態にするように定位端部４１３から遠ざかったりするように第２の定位部材５２に対してねじ係合しながら回動レバー４２の軸方向に沿って往復移動することができる。
【００２１】
次に、以上のように構成された第１の実施形態に係る留め具の動作及び作用を添付図面を参照して説明する。
【００２２】
留めユニット４がアンロック状態のとき、ロックユニット５の第１の定位部材５１がフック本体４１の定位端部４１３から離れるように回されて回動レバー４２の枢着端部４２１と回動端部４２２との間に移動して定位されると、回動レバー４２を開放位置側に回動できると共に、開口部４０１を開放できる（図１参照）。指などで工具（図示せず）が連結されたワイヤ２１をもって回動レバー４２を押して通し空間４０側に移動させる。回動レバー４２が通し空間４０側に回動して開放位置に移動され開口部４０１が開放すると、ワイヤ２１にフック本体４１の主壁部４１１が通される（図２参照）。ワイヤ２１がフック本体４１に連結されると共に、回動レバー４２を押圧する力を解消すると、回動レバー４２が定位端部４１３側に再び回動して回動端部４２２が閉鎖位置に移動される。こうして回動端部４２２が定位端部４１３に当接されて係止され、開口部４０１が封閉される。ロックユニット５がフック本体４１の定位端部４１３側に移動されるように第１の定位部材５１が第２の定位部材５２に対して回転されると、第１の定位部材５１が回動端部４２２と定位端部４１３との当接部を取り囲むように定位端部４１３側に移動される。こうすることにより、回動レバー４２がフック本体４１に対して安定して係合・定位されると、留めユニット４がロック状態になる（図３参照）。
【００２３】
このようにすると、ロックユニット５によって回動レバー４２をフック本体４１に対して回動不能に定位することができるので、例えば外力によって不意に回動レバー４２が押されても動くことがない。従って、工具は不意に留め具から脱離・落下することなく作業の安全性を良好に保つことができる。
【００２４】
その一方、ワイヤを取り出す場合、第１の定位部材５１が回されて回動レバー４２の枢着端部４２１と回動端部４２２との間に移動して定位されると、アンロック状態になるため、指などで回動レバー４２が押されて回動レバー４２が開放位置側に動かされると、開口部４０１が開放される。こうすると、開放された開口部４０１からワイヤ２１を取り出すことができる。
【００２５】
以上により、本考案に係る工具落下防止索具に用いられる止め具は、ロックユニット５によって、回動レバー４２が閉鎖位置から開放位置に回動できるアンロック状態と、開口部４０１が閉鎖されると共に回動レバー４２がフック本体４１に対して回動不能に定位されるロック状態と、に切り替えることができる。アンロック状態にてワイヤ２１などが回動レバー４２を押して開口部４０１よりフック本体４１に通されて連結され、ロック状態にて回動レバー４２が押されても動くことなく強固に定位することができるので、工具の繋ぎ止めや取り外しが簡単であると共に、工具は不意に留め具から脱離・落下することがなくなり、作業の利便性が良好である上、安全性を高く保つことができる。
【００２６】
（第２の実施形態）
図４には、本考案に係る工具落下防止索具の留め具の第２の実施形態が示されている。第２の実施形態に係る留め具は、２つの連結ユニット３、３と、留めユニット４Ａと、ロックユニット５Ａと、を備えている。
【００２７】
２つの連結ユニット３、３は、上記の実施形態と同様に略Ｄの字形に形成され、また図示の如く、互いに枢結可能に設けられている。２つの連結ユニット３における一方の連結ユニットは、他方の連結ユニット３と回転自在に枢結されていると共に、接続ひも２２が通されて連結されている。他方の連結ユニット３は一方の連結ユニット３と枢結されていると共に、留めユニット４Ａが通されて連結されている。
【００２８】
留めユニット４Ａは、カラビナのように環状に成形されており、上記他方の連結ユニット３に通されて繋がるように設けられたフック本体４１Ａと、フック本体４１Ａの通し空間４０側に回動自在にフック本体４１Ａに枢支されて連結されている回動レバー４２Ａと、を有する。なお、回動レバー４２Ａは第１の実施形態の回動レバーと同様なので、詳しい説明を省く。
【００２９】
ロックユニット５Ａは、互いに係脱自在に設けられた第１の定位部材５１と第２の定位部材５２Ａとを有する。第１の定位部材５１は上記第１の実施形態の第１の定位部材とほぼ同様なので、詳しい説明を省く。第２の定位部材５２Ａは、フック本体４１の定位端部４１３Ａに設けられており、第１の定位部材５１内の第１のねじ部５１１と係合可能に、定位端部４１３Ａと一体状に形成された第２のねじ部５２１を有する。
【００３０】
このように、第２の実施形態に係る留め具は、上記実施形態に係る留め具と同様の作用・効果を有するため、ロックユニット５Ａによって回動レバー４２Ａをフック本体４１Ａに対して回動不能に定位することができ、工具の出し入れも簡単である。
【産業上の利用可能性】
【００３１】
本考案に係る留め具は、工具落下防止索具の止め具として有用である。
【符号の説明】
【００３２】
２２  接続ひも
３  連結ユニット
３０  連結空間
３１  屈曲部分
３２  水平部分
４、４Ａ  留めユニット
４０  通し空間
４０１  開口部
４１、４１Ａ  フック本体
４１１  主壁部
４１２  枢結端部
４１３、４１３Ａ  定位端部
４２、４２Ａ  回動レバー
４２０  割り溝
４２１  枢着端部
４２２  回動端部
５、５Ａ  ロックユニット
５１  第１の定位部材
５１１  第１のねじ部
５２、５２Ａ  第２の定位部材
５２１  第２のねじ部
【図１】
0003189229.tif 000003
【図２】
0003189229.tif 000004
【図３】
0003189229.tif 000005
【図４】
0003189229.tif 000006
【図５】
0003189229.tif 000007
【図６】
0003189229.tif 000008